Podtech/llm-jp-corpus-v4-ja_patent huggingface dataset:
【手続補正書】
【提出日】平成24年4月2日(2012.4.2)
【手続補正１】
【補正対象書類名】特許請求の範囲
【補正対象項目名】全文
【補正方法】変更
【補正の内容】
【特許請求の範囲】
【請求項１】
切換可能なパッチアンテナであって、
接地面と、
前記接地面の上方に配置されるが、前記接地面に接触しない金属パッチと、
少なくとも二つの給電線であり、各給電線が前記金属パッチに電気的に接続され、各給電線が少なくとも一つの他の給電線と直交している給電線と、
前記少なくとも二つの給電線に電気的に接続されたスイッチであって、前記スイッチが前記切換可能なパッチアンテナを励起させるために、前記少なくとも二つの給電線の何れかを逐次選択するように動作可能であるスイッチとを備える切換可能なパッチアンテナ。
【請求項２】
前記接地面と前記金属パッチとの間に配置された誘電体基板を更に備える請求項１に記載の切換可能なパッチアンテナ。
【請求項３】
前記誘電体基板が、印刷回路板及びセラミック材料のうちの一方である請求項２に記載の切換可能なパッチアンテナ。
【請求項４】
前記少なくとも二つの給電線がマイクロストリップ伝送線である請求項１に記載の切換可能なパッチアンテナ。
【請求項５】
前記マイクロストリップ伝送線が等しい長さを有する請求項４に記載の切換可能なパッチアンテナ。
【請求項６】
前記マイクロストリップ伝送線が互いに対して対称的である請求項４に記載の切換可能なパッチアンテナ。
【請求項７】
前記マイクロストリップ伝送線が等しいインピーダンスを有する請求項４に記載の切換可能なパッチアンテナ。
【請求項８】
前記金属パッチが二対の直交縁を有し、各直交縁が中点を有し、各給電線が前記直交縁の中点で前記金属パッチに接続される請求項１に記載の切換可能なパッチアンテナ。
【請求項９】
前記逐次選択のタイミングが前記切換可能なパッチアンテナの操作のモードに基づいており、呼び掛けモードにおいては、第１の時間期間について二つの直交方向の間で選択的に切換わり、且つ前記パッチアンテナは第１の時間期間よりも長い第２の時間期間に亘って失活化する請求項１に記載の切換可能なパッチアンテナ。
【請求項１０】
前記逐次選択のタイミングが前記切換可能なパッチアンテナの操作のモードに基づいており、失活化モードにおいては、第１の時間期間について二つの直交方向の間で選択的に切換わり、且つ前記パッチアンテナは第１の時間期間よりも短い第２の時間期間に亘って失活化する請求項１に記載の切換可能なパッチアンテナ。
【請求項１１】
前記第２の時間期間についての失活化はトリガリング・イベントに応答する請求項１０に記載の切換可能なパッチアンテナ。
【請求項１２】
無線周波数識別（「ＲＦＩＤ」）棚読取機であって、
制御装置と、
前記制御装置に電気的に接続された送受信機であり、前記送受信機がＲＦ信号を送信及び受信するように動作可能である送受信機と、
前記送受信機に電気的に接続された切換可能なパッチアンテナとを備え、
前記切換可能なパッチアンテナが、
接地面と、
前記接地面に隣接して配置されるが、前記接地面に接触しない金属パッチと、
少なくとも二つの給電線であって、各給電線が前記金属パッチに電気的に接続され、各給電線が少なくとも一つの他の給電線と直交している給電線と、
前記少なくとも二つの給電線に電気的に接続されたスイッチであって、前記スイッチが前記切換可能なパッチアンテナを励起させるために、前記少なくとも二つの給電線の何れかを逐次選択するように動作可能であるスイッチとを含むＲＦＩＤ棚読取機。
【請求項１３】
前記切換可能なパッチアンテナが、前記接地面と前記金属パッチとの間に配置された誘電体基板を更に含む請求項１２に記載のＲＦＩＤ棚読取機。
【請求項１４】
前記少なくとも二つの給電線がマイクロストリップ伝送線である請求項１２に記載のＲＦＩＤ棚読取機。
【請求項１５】
前記マイクロストリップ伝送線が互いに対して対称的であり、且つ同じ長さを有する請求項１３に記載のＲＦＩＤ棚読取機。
【請求項１６】
前記マイクロストリップ伝送線が等しいインピーダンスを有する請求項１３に記載のＲＦＩＤ棚読取機。
【請求項１７】
前記金属パッチが正方形である請求項１１に記載のＲＦＩＤ棚読取機。
【請求項１８】
前記逐次選択のタイミングが前記切換可能なパッチアンテナの操作のモードに基づいており、呼び掛けモードにおいては、第１の時間期間について二つの直交方向の間で選択的に切換わり、且つ前記パッチアンテナは第１の時間期間よりも長い第２の時間期間に亘って失活化する請求項１２に記載のＲＦＩＤ棚読取機。
【請求項１９】
電場を生成する方法であって、前記方法は、
切換可能なパッチアンテナを与えるステップであり、この切換可能なパッチアンテナが、
接地面と、
前記接地面に隣接して配置されるが、前記接地面に接触しない金属パッチと、
少なくとも二つの給電線であって、各給電線が前記金属パッチに電気的に接続され、各給電線が少なくとも一つの他の給電線と直交している給電線と、
前記少なくとも二つの給電線に電気的に接続されたスイッチであって、前記スイッチが前記少なくとも二つの給電線のうち一つを選択するように動作可能であるスイッチと、
を含むステップと、
前記少なくとも二つの給電線のうち一つを逐次選択するステップと、
励起信号を前記選択された給電線に加えるステップと、
を含む方法。
【請求項２０】
前記逐次選択のタイミングが前記切換可能なパッチアンテナの操作のモードに基づいており、呼び掛けモードにおいては、第１の時間期間について二つの直交方向の間で選択的に切換わり、且つ前記パッチアンテナは第１の時間期間よりも長い第２の時間期間に亘って失活化する請求項１９に記載の方法。
【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
超音波発生デバイスであって、
調節される細胞の部位に刺激波形を送達するべく構成された、超音波を発生させる少なくとも一の構成要素を含み、
前記刺激波形はパルス方式で送達され、単一パルスが０．００１ｍ秒から１０分の範囲のパルス持続時間を有し、複数の単一パルスが、２１から９００ｍＷ／ｃｍ２の範囲の空間ピーク時間平均強度をもたらすべく０．００１から１０ｋＨｚの範囲のパルス繰り返し周波数で繰り返され、単一パルスが１０から５００００の間の音のサイクルを含むか、又は
前記刺激波形が連続方式で送達され、
前記調節される細胞の部位において前記刺激波形は、４５０ｍＷ／ｃｍ２から５０ｍＷ／ｃｍ２の強度を含み、
前記超音波を発生させる少なくとも一の構成要素は、アナログ又はデジタル波形を使用して駆動される、デバイス。
【請求項２】
前記刺激波形は連続方式で送達され、
前記調節される細胞の部位において前記刺激波形は、４５０ｍＷ／ｃｍ２、４００ｍＷ／ｃｍ２、３５０ｍＷ／ｃｍ２、３００ｍＷ／ｃｍ２、２５０ｍＷ／ｃｍ２、２００ｍＷ／ｃｍ２、１５０ｍＷ／ｃｍ２、１００ｍＷ／ｃｍ２、５０ｍＷ／ｃｍ２、又はこれらに記載の量以内のレベルの強度の一以上を含む、請求項１に記載のデバイス。
【請求項３】
前記超音波を発生させる少なくとも一の構成要素は、超音波エミッタ、超音波トランスデューサ、圧電超音波トランスデューサ、複合トランスデューサ、静電容量型微細加工超音波トランスデューサ、若しくはこれらの組み合わせ、又はアレイ構成を含む、請求項１又は２に記載のデバイス。
【請求項４】
前記刺激波形は焦点方式又は非焦点方式で送達される、請求項１から３のいずれか一項に記載のデバイス。
【請求項５】
前記刺激波形は、方形波、正弦波、鋸波状波形、スイープ波形、若しくは任意の波形、又は一以上の波形の組み合わせを含む、請求項１から４のいずれか一項に記載のデバイス。
【請求項６】
前記超音波を発生させる少なくとも一の構成要素は１から１０００個の超音波トランスデューサ要素を含む、請求項１から５のいずれか一項に記載のデバイス。
【請求項７】
前記刺激波形は種々の周波数及び持続時間のパルスを含む、請求項１から６のいずれか一項に記載のデバイス。
【請求項８】
少なくとも一の刺激波形を形成する超音波を発生させる構成要素を形成するべく適合され、
外傷性脳損傷若しくは外傷性脊髄損傷、脳腫瘍、偏頭痛、心不整脈、腰痛、糖尿病、パーキンソン病、本態性振戦、アルツハイマー病、強迫性障害、総合失調症、双極性障害、うつ病、閉じ込め症候群、若しくは他の中枢神経系疾患若しくは障害を有するか、又は最小意識状態、昏睡、若しくは植物状態にある対象を治療する際に細胞活動を調節することに使用され、
（ｉ）前記構成要素を前記対象に音響的に結合し、
（ｉｉ）前記調節される細胞の部位において前記刺激波形は、４５０ｍＷ／ｃｍ２、４００ｍＷ／ｃｍ２、３５０ｍＷ／ｃｍ２、３００ｍＷ／ｃｍ２、２５０ｍＷ／ｃｍ２、２００ｍＷ／ｃｍ２、１５０ｍＷ／ｃｍ２、１００ｍＷ／ｃｍ２、５０ｍＷ／ｃｍ２、又はこれらに記載の量以内のレベルの強度の一以上を含み、
（ｉｉｉ）前記刺激波形は、０．８から０．１ＭＨｚの範囲の一以上の周波数を含む、請求項１から７のいずれか一項に記載のデバイス。
【請求項９】
前記刺激波形はパルス方式で送達されて前記刺激波形は０．１から０．９ＭＨｚの範囲の一以上の周波数を含むか、又は
前記刺激波形が連続方式で送達される場合は前記刺激波形は０．８から０．１ＭＨｚの範囲の一以上の周波数を含む、請求項１から７のいずれか一項に記載のデバイス。
【手続補正書】
【提出日】平成24年7月10日(2012.7.10)
【手続補正１】
【補正対象書類名】特許請求の範囲
【補正対象項目名】全文
【補正方法】変更
【補正の内容】
【特許請求の範囲】
【請求項１】
上側椎骨と下側椎骨との間に配置される椎骨間スペーサであって、この椎骨間スペーサが、
上側及び下側の椎骨の１つと接触するための外面を有している上側端板と、
上側及び下側の椎骨の他方と接触するための外面を有している下側端板と、
少なくとも１つの関節要素であって、少なくとも１つの空間によって隔てられた複数のセグメントと、隣接するセグメントを結合する少なくとも１つの橋渡し要素とを有している、上記関節要素と、を備え、
関節要素における第１の部分は、上側及び下側の端板のうちの１つと機能的に関連し、関節要素における第２の異なる部分は、上側及び下側の端板のうちの他の１つと機能的に関連し、対向する表面を互いにこすり合わせることなく、関節要素を屈曲させることで、端板の相対的な動きを許容することを特徴とするスペーサ。
【請求項２】
関節要素は、最外側セグメントの内側に介装された最内側セグメントを有している請求項１に記載のスペーサ。
【請求項３】
介装されたセグメントは同心的なＯ字形リングである請求項２に記載のスペーサ。
【請求項４】
端板が互いに対して動くとき、介装されたセグメントは、互いに弾性的に偏向する請求項２に記載のスペーサ。
【請求項５】
端板が互いに対して動くとき、橋渡し要素は、弾性的に偏向する請求項１に記載のスペーサ。
【請求項６】
関節要素がさらに、少なくとも１つの中間セグメントを最内側セグメントと最外側セグメントとの間に介装されて備えている請求項２に記載のスペーサ。
【請求項７】
それぞれのセグメントの高さは、約３mmから約１０mmの範囲である請求項１に記載のスペーサ。
【請求項８】
それぞれのセグメントの幅は、約０．５mmから約２mmの範囲である請求項１に記載のスペーサ。
【請求項９】
それぞれの橋渡し要素の幅は、約１mmから約１０mmの範囲である請求項１に記載のスペーサ。
【請求項１０】
橋渡し要素の１つは、関節要素を、上側及び下側の端板の１つに結合する請求項１に記載のスペーサ。
【請求項１１】
最外側セグメントは、上側及び下側の端板のうちの１つにしっかりと結合され、最内側セグメントは、上側及び下側の端板のうちの他方にしっかりと結合されている請求項２に記載のスペーサ。
【請求項１２】
セグメントは、溶接、グルー、圧入、及び接着からなるグループの少なくとも１つによって、それぞれの端板にしっかりと結合されている請求項１１に記載のスペーサ。
【請求項１３】
関節要素は、生物学的適合性の材料、チタン、チタン合金、コバルトクロム合金、生物学的適合性のポリマー、生物学的適合性のポリマーの混合物、ニチノール、形状記憶合金、セラミック、及び複合材料からなるグループの少なくとも１つから構成されている請求項１に記載のスペーサ。
【請求項１４】
スペーサは垂直軸線を有し、垂直軸線に沿ったそれぞれの隣接するセグメントの高さは、最外側セグメントから最内側セグメントへ向けて増加している請求項２に記載のスペーサ。
【請求項１５】
スペーサは垂直軸線を有し、垂直軸線に沿ったそれぞれの隣接するセグメントの高さは、最外側セグメントから最内側セグメントへ向けて減少している請求項２に記載のスペーサ。
【請求項１６】
スペーサは垂直軸線を有し、隣接するセグメントの端部の位置決めは、垂直軸線に沿って上下に交互し、ジグザグの構造を形成している請求項１に記載のスペーサ。
【請求項１７】
前記スペーサがさらに、上側及び下側の端板のうちの１つに、関節要素を受け入れるために、凹部部分を備えている請求項２に記載のスペーサ。
【請求項１８】
内壁が凹部部分を形成し、内壁は、内壁が形成されている端板の外周へ向いた、外向き方向に傾斜している請求項１７に記載のスペーサ。
【請求項１９】
関節要素の最外側セグメントは、外面を有していて、関節要素の頂部から底部へ内方に突出する角度を形成しており、凹部部分における外方へ角度の付いた内壁は、最外側セグメントにおける内方に突出する外面を受けて接触するように構成されている請求項１８に記載のスペーサ。
【請求項２０】
前記スペーサがさらに、関節要素と端板の１つとの間に隙間領域を備え、セグメントがこの隙間領域の中に移動するのを許容している請求項１に記載のスペーサ。
【請求項２１】
前記スペーサがさらに、少なくとも１つの端板に対して機能的に関連したピン要素を備え、スペーサが組み立てられた状態にあるとき、関節要素の隣接したセグメントを分離する、少なくとも１つの空間の内部に受け入れられる請求項２に記載のスペーサ。
【請求項２２】
ピン要素は、関節要素における介装セグメントを分離する、少なくとも１つの空間内に緩く受け入れられている請求項２１に記載のスペーサ。
【請求項２３】
ピン要素は、端板の１つにしっかりと結合され、他方の端板に向けて延び、関節要素のセグメントを分離する少なくとも１つの空間に圧入されている請求項２１に記載のスペーサ。
【請求項２４】
前記スペーサがさらに、上側及び下側の端板の少なくとも１つに形成された、少なくとも１つの孔を備えている請求項１に記載のスペーサ。
【請求項２５】
上側端板、下側端板、及び関節要素は、単一体の材料から一体的に形成されている請求項１に記載のスペーサ。
【請求項２６】
前記スペーサがさらに、第２の関節要素を備え、複数のセグメントを有し、少なくとも１つの空間によってそれぞれ分離され、少なくとも１つの橋渡し要素は隣接するセグメントを結合している請求項１に記載のスペーサ。
【請求項２７】
前記スペーサがさらに、中心軸要素を備え、関節要素を互いに垂直に結合している請求項２６に記載のスペーサ。
【請求項２８】
中心軸要素は、上側端板、下側端板、及び第１及び第２の関節要素と同一体の材料から作られる請求項２７に記載のスペーサ。
【請求項２９】
前記スペーサがさらに、エラストマー要素を備え、上側及び下側の端板の間の隙間及び空間を満たしている請求項１に記載のスペーサ。
【手続補正書】
【提出日】平成24年3月29日(2012.3.29)
【手続補正１】
【補正対象書類名】特許請求の範囲
【補正対象項目名】全文
【補正方法】変更
【補正の内容】
【特許請求の範囲】
【請求項１】
以下の式の化合物
【化１】
2011527988.tif 000001
（式中、
Ｒ１は、水素、クロロ、シアノ、トリフルオロメチル、ジフルオロメトキシ、およびトリフルオロメトキシからなる群より選択され、
Ｒ２は、水素、ハロ、シアノ、１〜５個のフルオロ基で置換された（Ｃ１−Ｃ３）アルキル、および１〜５個のフルオロ基で置換された（Ｃ１−Ｃ３）アルコキシからなる群より選択され、
Ｒ３は、水素、フルオロ、およびクロロからなる群より選択され、
Ｒ４は、トリフルオロメチル、シアノおよびシクロプロピルからなる群より選択され、
ただし、Ｒ１が水素、クロロ、シアノ、またはトリフルオロメチルである場合、Ｒ２は、１〜５個のフルオロ基で置換された（Ｃ１−Ｃ３）アルコキシである）
またはその薬理学的に許容できる塩。
【請求項２】
Ｒ１が、ジフルオロメトキシまたはトリフルオロメトキシである、請求項１に記載の化合物、またはその薬理学的に許容できる塩。
【請求項３】
Ｒ２が、１〜５個のフルオロ基で置換された（Ｃ１−Ｃ３）アルコキシである、請求項１に記載の化合物、またはその薬理学的に許容できる塩。
【請求項４】
４−［（３Ｒ，５Ｒ）−３−［１−メチル−１−（６−トリフルオロメチル−ピリジン−２−イル）−エチルアミノ］−２−オキソ−５−（３−トリフルオロメトキシ−フェニル）−ピロリジン−１−イル］−ベンゾニトリルである、請求項１に記載の化合物、またはその薬理学的に許容できる塩。
【請求項５】
（３Ｒ，５Ｒ）−３−［１−メチル−１−（６−トリフルオロメチル−ピリジン−２−イル）−エチルアミノ］−５−（３−トリフルオロメチル−フェニル）−１−（４−トリフルオロメトキシ−フェニル）−ピロリジン−２−オンである、請求項１に記載の化合物、またはその薬理学的に許容できる塩。
【請求項６】
請求項１〜５のうちのいずれか１項に記載の化合物、またはその薬理学的に許容できる塩、および薬理学的に許容できる担体、希釈剤または賦形剤を含む、医薬組成物。
【手続補正書】
【提出日】平成24年3月5日(2012.3.5)
【手続補正１】
【補正対象書類名】特許請求の範囲
【補正対象項目名】全文
【補正方法】変更
【補正の内容】
【特許請求の範囲】
【請求項１】
虚血性心疾患又は炎症性心疾患を予防するための医薬組成物であって、
クエルセチン−３−Ｏ−β−Ｄ−グルクロニド及び／又はケンペロール−３−Ｏ−β−Ｄ−グルクロニドを含む医薬組成物。
【請求項２】
クエルセチン−３−Ｏ−β−Ｄ−グルクロニド及び／又はケンペロール−３−Ｏ−β−Ｄ−グルクロニドが、経血管投与される、請求項１に記載の医薬組成物。
【請求項３】
虚血性心疾患又は炎症性心疾患を予防するための医薬組成物であって、
クエルセチン−３−Ｏ−β−Ｄ−グルコシド及び／又はケンペロール−３−Ｏ−β−Ｄ−グルコシドを含み、
クエルセチン−３−Ｏ−β−Ｄ−グルコシド及び／又はケンペロール−３−Ｏ−β−Ｄ−グルコシドが、経口投与される、医薬組成物。
【請求項４】
クエルセチン−３−Ｏ−β−Ｄ−グルコシド及び／又はケンペロール−３−Ｏ−β−Ｄ−グルコシドが、それら単独で使用される、請求項３に記載の医薬組成物。
【請求項５】
クエルセチン−３−Ｏ−β−Ｄ−グルコシド及び／又はケンペロール−３−Ｏ−β−Ｄ−グルコシドが、組成物の一部である、請求項３に記載の医薬組成物。
【請求項６】
赤ブドウ葉抽出物である、請求項５に記載の医薬組成物。
【請求項７】
使用される抽出物が、ＡＳ１９５として市販されているものである、請求項６に記載の医薬組成物。
【請求項８】
心疾患が、心筋梗塞及び心不全から選択される、請求項１〜７のいずれかに記載の医薬組成物。
【手続補正書】
【提出日】平成24年3月7日(2012.3.7)
【手続補正１】
【補正対象書類名】特許請求の範囲
【補正対象項目名】全文
【補正方法】変更
【補正の内容】
【特許請求の範囲】
【請求項１】
ｈＣＭＶタンパク質ｇＢに特異的であり、ｈＣＭＶの臨床分離株による内皮細胞、上皮細胞、網膜細胞、骨髄細胞、樹状細胞、線維芽細胞、または間葉系間質細胞の感染を中和する、単離された抗体またはその抗原結合断片であって、ｈＣＭＶを９０％中和するために必要とされる前記抗体の濃度は１０μｇ／ｍＬ以下であり、８Ｆ９ではない、抗体またはその抗原結合断片。
【請求項２】
ｈＣＭＶを９０％中和するために必要とされる前記抗体の濃度は、１．２μｇ／ｍＬ以下である、請求項１に記載の抗体または断片。
【請求項３】
配列番号３４８、３２８、３３４、２９０、２９４、３０８、３５７、３１４、もしくは３６７に対して少なくとも８５％の配列同一性を有する重鎖可変領域、および／または、配列番号３４９、３２９、２９１、３０９、もしくは３６８に対して少なくとも８５％の配列同一性を有する軽鎖可変領域を含み、ｈＣＭＶタンパク質ｇＢに特異的である、抗体またはその抗原結合断片。
【請求項４】
それぞれ配列番号３２８および３２９、それぞれ配列番号３３４および３２９、それぞれ配列番号２９０および２９１、それぞれ配列番号２９４および２９１、それぞれ配列番号３５７および２９１、それぞれ配列番号３０８および３０９、それぞれ配列番号３１４および３０９、またはそれぞれ配列番号３６７および３６８と、少なくとも８５％同一であるアミノ酸配列を有する、重鎖および軽鎖可変領域を含む、請求項１〜３のうちのいずれか１項に記載の抗体または断片。
【請求項５】
それぞれ配列番号３４８および３４９と少なくとも８５％同一であるアミノ酸配列を有する重鎖および軽鎖可変領域を含む、請求項１〜３のうちのいずれか１項に記載の抗体または断片。
【請求項６】
（ａ）配列番号３３６、３３７、および３３８に記載される、それぞれ重鎖可変領域ＣＤＲ１、ＣＤＲ２、およびＣＤＲ３配列、ならびに配列番号３３９、３４０、および３４１に記載される、それぞれ軽鎖可変領域ＣＤＲ１、ＣＤＲ２、およびＣＤＲ３配列；
（ｂ）配列番号３１６、３１７、および３１８に記載される、それぞれ重鎖可変領域ＣＤＲ１、ＣＤＲ２、およびＣＤＲ３配列、ならびに配列番号３１９、３２０、および３２１に記載される、それぞれ軽鎖可変領域ＣＤＲ１、ＣＤＲ２、およびＣＤＲ３配列；
（ｃ）配列番号３１６、３１７、および３３２に記載される、それぞれ重鎖可変領域ＣＤＲ１、ＣＤＲ２、およびＣＤＲ３配列、ならびに配列番号３１９、３２０、および３２１に記載される、それぞれ軽鎖可変領域ＣＤＲ１、ＣＤＲ２、およびＣＤＲ３配列；
（ｄ）配列番号２７８、２７９、および２８０に記載される、それぞれ重鎖可変領域ＣＤＲ１、ＣＤＲ２、およびＣＤＲ３配列、ならびに配列番号２８１、２８２、および２８３に記載される、それぞれ軽鎖可変領域ＣＤＲ１、ＣＤＲ２、およびＣＤＲ３配列；
（ｅ）配列番号３５２、２７９、および２８０に記載される、それぞれ重鎖可変領域ＣＤＲ１、ＣＤＲ２、およびＣＤＲ３配列、ならびに配列番号２８１、２８２、および２８３に記載される、それぞれ軽鎖可変領域ＣＤＲ１、ＣＤＲ２、およびＣＤＲ３配列；
（ｆ）配列番号２９６、２９７、および２９８に記載される、それぞれ重鎖可変領域ＣＤＲ１、ＣＤＲ２、およびＣＤＲ３配列、ならびに配列番号２９９、３００、および３０１に記載される、それぞれ軽鎖可変領域ＣＤＲ１、ＣＤＲ２、およびＣＤＲ３配列；
（ｇ）配列番号２９６、３１２、および２９８に記載される、それぞれ重鎖可変領域ＣＤＲ１、ＣＤＲ２、およびＣＤＲ３配列、ならびに配列番号２９９、３００、および３０１に記載される、それぞれ軽鎖可変領域ＣＤＲ１、ＣＤＲ２、およびＣＤＲ３配列；または、
（ｈ）配列番号３６０、２７９、および２８０に記載される、それぞれ重鎖可変領域ＣＤＲ１、ＣＤＲ２、およびＣＤＲ３配列、ならびに配列番号２８１、２８２、および３６１に記載される、それぞれ軽鎖可変領域ＣＤＲ１、ＣＤＲ２、およびＣＤＲ３配列
を含み、ｈＣＭＶタンパク質ｇＢに特異的である、抗体またはその抗原結合断片。
【請求項７】
ｈＣＭＶ感染を中和し、請求項４または請求項５に記載の抗体または断片と同一のエピトープに結合するか、または請求項４または請求項５に記載の抗体または断片とｈＣＭＶへの結合を競合する、単離された抗体またはその抗原結合断片。
【請求項８】
前記抗体は、ヒト抗体、モノクローナル抗体、単鎖抗体、Ｆａｂ、Ｆａｂ’、Ｆ（ａｂ’）２、Ｆｖ、またはｓｃＦｖである、請求項１〜７のうちのいずれか１項に記載の抗体または断片。
【請求項９】
ｈＣＭＶ感染の治療のための、請求項１〜８のうちのいずれか１項に記載の抗体または断片。
【請求項１０】
請求項３〜８のうちのいずれか１項に記載の抗体または断片をコードするヌクレオチド配列を含む、単離された核酸分子。
【請求項１１】
前記ヌクレオチド配列は、配列番号３４２〜３４７、３５０、３５１、３２２〜３２７、３３０、３３１、３３３、３３５、２８４〜２８９、２９２、２９３、２９５、３５３〜３５６、３５８、３５９、２８７、２８８、３０２〜３０７、３１０、３１１、３１３、３１５、３６２〜３６４、２８７、３６５、３６６、３６９、または３７０のうちのいずれか１つと少なくとも７５％同一である、請求項１０に記載の核酸分子。
【請求項１２】
請求項１〜８のうちのいずれか１項に記載の抗体または断片を発現する、細胞。
【請求項１３】
請求項１〜８のうちのいずれか１項に記載の抗体または断片、または請求項１０もしくは１１に記載の核酸と、薬学的に許容される希釈剤もしくは担体と、任意で、ｈＣＭＶ感染を中和する第２の抗体もしくはその抗原結合断片と、を含む、組成物。
【請求項１４】
ｈＣＭＶ感染の治療のための医薬の製造における、請求項１〜８のうちのいずれか１項に記載の抗体または断片、または請求項１０もしくは１１に記載の核酸、または請求項１３に記載の組成物の使用。
【請求項１５】
請求項１〜８のうちのいずれか１項に記載の抗体または断片を産生するための方法であって、（ｉ）請求項１２に記載の細胞を培養することと、（ｉｉ）前記抗体または断片を単離することと、を含む、方法。
【請求項１６】
第２の抗体が、ｈＣＭＶタンパク質ＵＬ１２８；ｈＣＭＶタンパク質ｇＨ；ｈＣＭＶタンパク質ｇＬ；ｈＣＭＶタンパク質ｇＭ；ｈＣＭＶタンパク質ｇＮ；ｈＣＭＶタンパク質ｇＯ；ｈＣＭＶタンパク質ＵＬ１２８、ＵＬ１３０、およびＵＬ１３１Ａの組み合わせ；ｈＣＭＶタンパク質ＵＬ１３０およびＵＬ１３１Ａの組み合わせ；ｈＣＭＶタンパク質ｇＨ、ｇＬ、ＵＬ１２８、およびＵＬ１３０の組み合わせ；ｈＣＭＶタンパク質ｇＭおよびｇＮの組み合わせ；ならびにｈＣＭＶタンパク質ｇＢ上の第２のエピトープ、から選択されるタンパク質またはタンパク質の組み合わせに結合する、請求項１３に記載の組成物。
【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
細胞マイクロキャリア（「細胞ラップ」）のアセンブリを供給するプロセスであって、
外部の刺激が付与されると、平面状態から丸められた状態へ変化する材料を有する２つの側面を持つ平面的２次元の対象物（「フレーク」）を供給するステップａ）と、
前記フレークの一方の側面（「細胞坦持側面」）上に細胞を供給するステップｂ）と、
前記外部の刺激の付与により前記平面状態から丸められた状態（「細胞ラップ」）へ前記フレークを変化させるステップｃ）と、
前記ステップａ）−ステップｃ）の何れかの前又は後で、少なくとも一つのタイプの結合剤を前記フレークへ結合するステップｄ）と
を有する、プロセス。
【請求項２】
前記結合剤は、前記細胞坦持側面とは反対側の前記フレークの側面に結合されることを特徴とする、請求項１に記載のプロセス。
【請求項３】
達成された少なくとも一つの細胞ラップを、前記結合剤の少なくとも一つにより少なくとも一つの他の構成要素に結合する追加のステップｅ）
を有することを特徴とする、請求項１又は２に記載のプロセス。
【請求項４】
前記結合剤は、タンパク質及びポリペプチド、核酸、分子タグ、リガンド及び／若しくは荷電群からなるグループから選択され、並びに／又は前記結合剤は、フレーク又はフレークの小区分へ、疎水性及び／又は親水性の特性を付与するように選択されることを特徴とする、請求項１乃至３の何れか一項に記載のプロセス。
【請求項５】
前記結合剤が共有結合を構築できることを特徴とする、請求項１乃至４の何れか一項に記載のプロセス。
【請求項６】
少なくとも２つの異なるタイプの結合剤が、パターン化された形式で前記フレークに加えられることを特徴とする、請求項１乃至５の何れか一項に記載のプロセス。
【請求項７】
前記ステップｂ）は、
前記フレーク上に細胞を播くステップｂ１）、及び
前記細胞を成長させるステップｂ２）
のサブステップを有することを特徴とする、請求項１乃至６の何れか一項に記載のプロセス。
【請求項８】
前記刺激は、
・ｐＨの誘導変化、
・温度の誘導変化、
・電磁波への誘導付与、
・イオン、特定の塩若しくは有機化合物、又はこれらの所与の濃縮への誘導付与、
・電場の付与、
・磁場の付与、
・音波の付与、
・振動の付与、
・酵素及び他の生体分子への誘導付与又は誘導抑制、
・基板からの誘導開放、及び／又は
・溶媒組成への誘導付与
から成るグループから選択されることを特徴とする、請求項１乃至７の何れか一項に記載のプロセス。
【請求項９】
前記フレークはヒドロゲルから成る材料を有し、並びに／又は前記フレークは２層構造、３層構造、マルチレイヤ構造及び／若しくは傾斜構造を有することを特徴とする、請求項１乃至８の何れか一項に記載のプロセス。
【請求項１０】
成長した細胞を坦持する種々異なるフレークが、平面状態から丸められた状態へ前記フレークを変化させる前に重ねられることを特徴とする、請求項１乃至９の何れか一項に記載のプロセス。
【請求項１１】
請求項１乃至１０の何れか一項に記載のプロセスによって作られる前記細胞ラップ及び／又は細胞マイクロキャリアのアセンブリが、
ｉ）体外組織−及び／若しくは器官−エンジニアリング環境、並びに／又は
ｉｉ）人間若しくは動物の損傷した組織及び／又は器官
に送られることを特徴とする、培養環境で細胞を急速に増殖させるプロセス。
【請求項１２】
ａ１）フレークの形状を規定する井戸を作るグリッドを有するモールドを供給するステップと、
ａ２）外部刺激を付与すると、平面状態から丸められた状態へ変化する先駆体材料を前記モールドへ成型するステップと、
ａ３）フレークを得るために成型された材料を硬化するステップと、
ｇ）オプションとして、前記外部刺激の付与により前記平面状態から前記丸めた状態（「細胞ラップ」）へ変化させるステップと、
ｈ）前記ステップａ）乃至ｃ）の前又は後に、少なくとも一つのタイプの結合剤を前記フレークと結合させるステップと
を有する、請求項１乃至１１の何れか一項に記載のプロセスにより２次元の対象物（「フレーク」）及び／又は細胞ラップを製造するプロセス。
【請求項１３】
請求項１２に記載のプロセスにより作られた２次元の対象物（「フレーク」）及び／又は細胞マイクロキャリア（「細胞ラップ」）。
【請求項１４】
請求項１２に記載のプロセスで作成された細胞マイクロキャリアを有するか、又は細胞を坦持する２次元の対象物から成り、外部の刺激の付与により丸められた状態へ変化する細胞マイクロキャリア（「細胞ラップ」）のアセンブリであって、少なくとも２つの細胞マイクロキャリアが少なくとも一つの結合剤により互いに結合されている、アセンブリ。
【手続補正書】
【提出日】平成24年6月22日(2012.6.22)
【手続補正１】
【補正対象書類名】明細書
【補正対象項目名】０００２
【補正方法】変更
【補正の内容】
【０００２】
多価アルコールまたはポリオールは、ポリエステルまたはポリウレタン、合成樹脂塗料、潤滑剤および軟化剤を構成する縮合成分として、重要な経済的価値がある。ここでは、ホルムアルデヒドの、イソ−またはｎ−ブチルアルデヒドとの混合アルドール縮合により得られる多価アルコールに、ことさら関心が集められている。ホルムアルデヒドと適切なブチルアルデヒド間のアルドール縮合においては、まずアルデヒドの中間体が形成され、これを続いて多価アルコールに還元しなければならない。この方法によって入手しやすい工業的に重要な多価アルコールは、ホルムアルデヒドとイソブチルアルデヒドとの混合アルドール化による、ネオペンチルグリコール［ＮＰＧ、２，２−ジメチルプロパンジオール−（１，３）］である。
【手続補正書】
【提出日】平成24年7月2日(2012.7.2)
【手続補正１】
【補正対象書類名】明細書
【補正対象項目名】００５２
【補正方法】変更
【補正の内容】
【００５２】
成分Ｂ２）の有機フィラーの粘度は好ましくは、ＤＩＮ  ５３０１９について測定した、２３℃で５０〜４０００ｍＰａｓである。
【手続補正２】
【補正対象書類名】明細書
【補正対象項目名】００７５
【補正方法】変更
【補正の内容】
【００７５】
実施例３ｄ−上行大動脈の吸引
上行大動脈を暴露し、調製した。上行大動脈は、０．５ｍｍ厚針で充分に吸引し、血液の噴出を生じさせた。本発明に必要な処方物を、出血に適用し、プラスチック製ヘラを用いて穴上に穏やかに押し付けた。出血は、２分以内に停止した。
【手続補正書】
【提出日】平成24年7月13日(2012.7.13)
【手続補正１】
【補正対象書類名】特許請求の範囲
【補正対象項目名】全文
【補正方法】変更
【補正の内容】
【特許請求の範囲】
【請求項１】
クライアント装置上に少なくとも１の個人情報ファイルを作成する段階と、
前記少なくとも１の個人情報ファイルの容量を追跡する段階と、
前記少なくとも１の個人情報ファイルのステータスを表示する段階と
を有する方法。
【請求項２】
サーバへの接続又はサーバからの切断のために、前記クライアント装置上で前記少なくとも１の個人情報ファイルを選択する段階を更に有する請求項１に記載の方法。
【請求項３】
前記少なくとも１の個人情報ファイルのステータスは、前記個人情報ファイルの場所と、前記個人情報ファイルの使用済容量と、サーバとの接続ステータスのうち、１又は２以上を有することを特徴とする請求項１に記載の方法。
【請求項４】
前記クライアント装置上で個人情報ファイルを検索する段階を更に有する請求項１に記載の方法。
【請求項５】
個人情報ファイル内の少なくとも１の連絡先を更新するためのコマンドを受信するステップと、前記コマンドの受信時に、以下の段階をシングル・アクション内で実行するステップとを有する方法であって、
前記段階は、
サーバ上の、識別子を有する少なくとも１人の情報を含むディレクトリを検索する段階と、
前記ディレクトリにおいて前記少なくとも１人の識別子と前記個人情報ファイル内の前記少なくとも１の連絡先を比較する段階と、
前記少なくとも１人の識別子が前記個人情報ファイル内の前記少なくとも１の連絡先にマッチするかどうかを決定する段階と、
前記少なくとも１人の識別子が、前記個人情報ファイル内の前記少なくとも１の連絡先にマッチする場合、前記ディレクトリ内で前記少なくとも１人の情報で、前記個人情報ファイル内の前記少なくとも１の連絡先を更新する段階と
を具備することを特徴とする方法。
【請求項６】
前記ディレクトリ内の前記少なくとも１人の情報は、役職、肩書き、勤務地、又は電話番号のうちの１又は２以上であることを特徴とする請求項５に記載の方法。
【請求項７】
前記識別子は、名前、苗字、又は電子メール・アドレスのうちの１又は２以上を有することを特徴とする請求項５に記載の方法。
【請求項８】
前記ディレクトリに含まれない前記個人情報ファイル内の少なくとも１の連絡先を決定するとともに表示するステップを更に有する請求項５に記載の方法。
【請求項９】
前記ディレクトリに含まれない前記個人情報ファイル内の少なくとも１の連絡先を削除するステップを更に有する請求項５に記載の方法。
【請求項１０】
更新前に前記個人情報ファイル内の少なくとも１の連絡先のバックアップ・コピーを作成するステップを更に有する請求項５に記載の方法。
【請求項１１】
クライアント装置上に個人情報ファイルを保存する段階と、
少なくとも１のイベントの時間に基づき、前記個人情報ファイル内の少なくとも１のイベントを分析する段階と、
前記少なくとも１のイベントの時間が、所定の期間以前に発生していた場合、個人情報ファイル内で少なくとも１のイベントに付属する添付物を削除する段階と
を有する方法。
【請求項１２】
前記少なくとも１のイベントは、カレンダ・イベントであることを特徴とする請求項１１に記載の方法。
【請求項１３】
前記添付物の削除ステータスを表示する段階、または、
前記添付物の削除の後、前記クライアント装置上で使用可能な保存領域の容量を表示する段階
を更に有する請求項１１に記載の方法。
【請求項１４】
コンピュータによる実行時に、請求項１〜１３のいずれか１項に記載の方法をコンピュータに実行させるコンピュータ実行命令を保存する、コンピュータ読み取り可能な媒体であるコンピュータ・プログラム製品。
【請求項１５】
請求項１〜１３のいずれか１項に記載の方法を実行するためのシステム。
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
少なくとも１つの広告領域に対して時間によってそれぞれの広告領域ごとの効用（ｕｔｉｌｉｔｙ）を表す尺度である効用価値を決定し、
前記時間および前記効用価値に基づいて前記広告領域を介して広告を提供し、
前記効用価値に基づいて決定された最低入札額を基準として入力される入札額に基づいて、または、前記効用価値および品質指数に基づいて前記広告領域が広告主に前記時間に対して販売されることを含む広告提供方法。
【請求項２】
前記広告領域は、前記広告に対応するキーワードの検索結果ページに含まれ、前記広告を提供することは、前記時間の間に前記検索結果ページに含まれる前記広告領域を介して前記広告を露出することを含む請求項１に記載の広告提供方法。
【請求項３】
前記広告領域は、前記入札額に基づいて決定される広告主または前記効用価値および前記品質指数に基づいて決定される広告主に前記時間に対応する効用価値として販売される請求項１に記載の広告提供方法。
【請求項４】
前記品質指数は、広告のリストに対する事前評価要素である品質係数および事後評価要素であるＣＴＲのうち少なくとも１つを用いて算定される請求項１に記載の広告提供方法。
【請求項５】
前記品質係数は、前記広告に関連するＴ＆Ｄ点数、サイトの人気度、およびサイト点数のうち少なくとも１つに基づいて測定される請求項４に記載の広告提供方法。
【請求項６】
前記広告を提供することは、前記時間の間に前記広告領域を介して前記広告主の広告を露出することを含む請求項３に記載の広告提供方法。
【請求項７】
前記効用価値を決定することは、前記広告領域に対する広告履歴情報に基づいて前記効用価値を算出することを含む請求項１に記載の広告提供方法。
【請求項８】
前記広告履歴情報は、クリック数、クリック単価、照会数、露出数、商品購入数のように前記広告領域に対して測定可能な全ての情報のうち少なくとも１つの情報を含む請求項７に記載の広告提供方法。
【請求項９】
前記クリック数は、前記時間と同一の前の時間の間に前記広告領域において発生したクリック数に基づいて決定される請求項８に記載の広告提供方法。
【請求項１０】
少なくとも１つの広告領域に対して時間による効用価値を決定し、
前記効用価値に基づいて最低入札額を決定すること、
前記最低入札額を基準として入力される入札額に基づいて、または、前記効用価値および品質指数に基づいて前記時間の間に前記広告領域を介して露出される広告主の広告を選択すること、
前記広告領域は前記広告主に前記時間に対して前記入札額で販売されること、
を含む広告提供方法。
【請求項１１】
前記効用価値を決定することは、前記広告領域に対する広告履歴情報に基づいて前記効用価値を算出することを含む請求項１０に記載の広告提供方法。
【請求項１２】
前記広告履歴情報は、クリック数、クリック単価、照会数、露出数、商品購入数のように前記広告領域に対して測定可能な全ての情報のうち少なくとも１つの情報を含む請求項１１に記載の広告提供方法。
【請求項１３】
前記クリック数は、前記時間と同一の前の時間の間に前記広告領域において発生したクリック数に基づいて決定される請求項１２に記載の広告提供方法。
【請求項１４】
入札対象キーワードに対して単位時間に該当する効用価値を用いて決定される最低入札額を基準として広告主が提示する前記最低入札額以上の入札額を受信し、
前記受信された入札額に応じて広告費用と広告露出順位とを決定すること、
を含み、
前記単位時間は前記広告主の広告が露出される期間に関し、前記広告が露出される前記単位時間の間に前記広告費用と前記広告露出順位とが固定的に維持されることを特徴とする広告提供方法。
【請求項１５】
前記効用価値は、前記入札対象キーワードの広告履歴情報を用いて前記単位時間に対して決定されることを特徴とする請求項１４に記載の広告提供方法。
【請求項１６】
請求項１から１５のいずれか１項の方法を実行するためのプログラムが記録されていることを特徴とするコンピュータで読み出し可能な記録媒体。
【請求項１７】
少なくとも１つの広告領域に対して時間によってそれぞれの広告領域ごとの効用（ｕｔｉｌｉｔｙ）を表す尺度である効用価値を決定する効用価値決定部と、
前記時間および前記効用価値に基づいて前記広告領域を介して広告を提供する広告提供部と、を備え、
前記効用価値に基づいて決定された最低入札額を基準として入力される入札額に基づいて、または、前記効用価値および品質指数に基づいて前記広告領域が広告主に前記時間に対して販売されることを含む広告提供システム。
【請求項１８】
少なくとも１つの広告領域に対して時間による効用価値を決定する効用価値決定部と、
前記効用価値に基づいて最低入札額を決定する最低入札額決定部と、
前記最低入札額を基準として入力される入札額に基づいて、または、前記効用価値および品質指数に基づいて前記時間の間に前記広告領域を介して露出される広告主の広告を選択する広告選択部と、
を含み、
前記広告領域は前記広告主に前記時間に対して前記入札額で販売される広告提供システム。
【請求項１９】
入札対象キーワードに対して単位時間に該当する効用価値を用いて決定される最低入札額を基準として広告主が提示する前記最低入札額以上の入札額を受信する入札額受信部と、
前記受信された入札額に応じて広告費用と広告露出順位を決定する広告選択部と、
を含み、
前記単位時間は前記広告主の広告が露出される期間に関し、前記広告が露出される前記単位時間の間に前記広告費用と前記広告露出順位とが固定的に維持されることを特徴とする広告提供システム。
【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
ａ．活性化ケイ酸マグネシウム；
ｂ．任意に前記活性化ケイ酸マグネシウムのための懸濁化剤；
ｃ．水；及び
ｄ．任意に乳化剤を含み、
ｅ．任意に苛性ソーダを除外すること；及び
ｆ．任意に過酸化水素を除外することを特徴とする組成物。
【請求項２】
ａ．活性化ケイ酸マグネシウム；
ｂ．水；
ｃ．キサンタンガム；
ｄ．トールオイル脂肪酸；及び
ｅ．ラウリル硫酸ナトリウムを含むことを特徴とする組成物。
【請求項３】
セルロース誘導体を含む物質からインクを除去する方法であって：
（ａ）前記セルロース誘導体を含む物質に：（１）活性化ケイ酸マグネシウム、（２）水、（３）任意に前記活性化ケイ酸マグネシウムのための懸濁化剤、及び（４）任意に乳化剤を含む組成物を添加する工程を含み、
（ｂ）任意に、前記セルロース誘導体を含む物質に苛性ソーダを添加する工程を除外すること；及び
（ｃ）任意に、前記セルロース誘導体を含む物質に過酸化水素を添加する工程を除外することを特徴とする方法。
【請求項４】
セルロース誘導体を含む物質からインクを除去する方法であって：
（ａ）前記セルロース誘導体を含む物質に：（１）活性化ケイ酸マグネシウム、（２）水、（３）キサンタンガム、（４）トールオイル脂肪酸、及び（５）ラウリル硫酸ナトリウムを含む組成物を添加する工程を含み、
（ｂ）任意に、前記セルロース誘導体を含む物質に苛性ソーダを添加する工程を除外すること；及び
（ｃ）任意に、前記セルロース誘導体を含む物質に過酸化水素を添加する工程を除外することを特徴とする方法。
【請求項５】
ａ．ケイ酸マグネシウム；
ｂ．前記ケイ酸マグネシウムのための懸濁化剤；
ｃ．水；及び
ｄ．任意に乳化剤を含み、
ｅ．任意に苛性ソーダを除外すること；及び
ｆ．任意に過酸化水素を除外することを特徴とする組成物。
【請求項６】
セルロース誘導体を含む物質からインクを除去する方法であって：
（ａ）前記セルロース誘導体を含む物質に：（１）ケイ酸マグネシウム、（２）前記ケイ酸マグネシウムのための懸濁化剤、（３）水、及び（４）任意に乳化剤を含む組成物を添加する工程を含み、
（ｂ）任意に、前記セルロース誘導体を含む物質に苛性ソーダを添加する工程を除外すること；及び
（ｃ）任意に、前記セルロース誘導体を含む物質に過酸化水素を添加する工程を除外することを特徴とする方法。
【手続補正書】
【提出日】平成24年7月5日(2012.7.5)
【手続補正１】
【補正対象書類名】特許請求の範囲
【補正対象項目名】全文
【補正方法】変更
【補正の内容】
【特許請求の範囲】
【請求項１】
組成物であって：
ａ．活性化水酸化マグネシウム；
ｂ．任意に前記水酸化マグネシウムのための懸濁化剤；
ｃ．水；
ｄ．任意に乳化剤；
ｅ．任意に苛性ソーダを除外すること；及び
ｆ．任意に過酸化水素を除外すること、
を含む組成物。
【請求項２】
ａ．活性化水酸化マグネシウム；ｂ．キサンタンガム；ｃ．トールオイル脂肪酸；ｄ．ラウリル硫酸ナトリウム；及びｅ．水を含む組成物。
【請求項３】
セルロース誘導体を含む物質からインクを除去する方法であって：
（ａ）物質に：（１）活性化水酸化マグネシウム、（２）任意に前記活性化水酸化マグネシウムのための懸濁化剤、（３）任意に乳化剤、及び（４）水；を含む組成物を添加すること；
（ｂ）セルロース誘導体を含む物質に、任意に苛性ソーダの添加を除外すること；及び
（ｃ）セルロース誘導体を含む物質に、任意に過酸化水素の添加を除外すること、
を含む方法。
【請求項４】
セルロース誘導体を含む物質からインクを除去する方法であって：
（ａ）物質に：（１）活性化水酸化マグネシウム、（２）キサンタンガム、（３）トールオイル脂肪酸、（４）ラウリル硫酸ナトリウム、及び（５）水；を含む組成物を添加すること；
（ｂ）セルロース誘導体を含む物質に、任意に苛性ソーダを添加することを除外すること；及び
（ｃ）セルロース誘導体を含む物質に、任意に過酸化水素を添加することを除外すること、を含む方法。
【請求項５】
ａ．水酸化マグネシウム；
ｂ．前記水酸化マグネシウムのための懸濁化剤；
ｃ．水；
ｄ．任意に乳化剤；
ｅ．任意に苛性ソーダを除外すること；及び
ｆ．任意に過酸化水素を除外すること、
を含む組成物。
【請求項６】
セルロース誘導体を含む物質からインクを除去する方法であって：
（ａ）物質に：（１）水酸化マグネシウム、（２）前記水酸化マグネシウムのための懸濁化剤、（３）水、及び（４）任意に乳化剤；を含む組成物を添加すること；
（ｂ）セルロース誘導体を含む物質に、任意に苛性ソーダを添加することを除外すること；及び
（ｃ）セルロース誘導体を含む物質に、任意に過酸化水素を添加することを除外すること、
を含む方法。
【手続補正書】
【提出日】平成24年7月6日(2012.7.6)
【手続補正１】
【補正対象書類名】特許請求の範囲
【補正対象項目名】全文
【補正方法】変更
【補正の内容】
【特許請求の範囲】
【請求項１】
アークおよび火炎防護に使用するための糸であって、
（ａ）結晶化度が少なくとも２０％であるメタ系アラミド繊維を５０〜８０重量％、
（ｂ）モダクリル繊維を１０〜３０重量％、
（ｃ）パラ系アラミド繊維を５〜２０重量％、および
（ｄ）帯電防止繊維を１〜３重量％
から基本的になり、前記百分率が、成分（ａ）、（ｂ）、（ｃ）、および（ｄ）を基準とする、糸。
【手続補正２】
【補正対象書類名】明細書
【補正対象項目名】００６６
【補正方法】変更
【補正の内容】
【００６６】
表
2011527734.tif 000001
次に、本発明の態様を示す。
1.  アークおよび火炎防護に使用するための糸であって、
（ａ）結晶化度が少なくとも２０％であるメタ系アラミド繊維を５０〜８０重量％、
（ｂ）モダクリル繊維を１０〜３０重量％、
（ｃ）パラ系アラミド繊維を５〜２０重量％、および
（ｄ）帯電防止繊維を１〜３重量％
から基本的になり、前記百分率が、成分（ａ）、（ｂ）、（ｃ）、および（ｄ）を基準とする、糸。
2.  （ａ）メタ系アラミド繊維を６５〜７５重量％、
（ｂ）モダクリル繊維を１５〜２５重量％、
（ｃ）パラ系アラミド繊維を５〜１５重量％、および
（ｄ）帯電防止繊維を２〜３重量％
から基本的になる、上記１に記載の糸。
3.  前記帯電防止成分が、炭素または金属を含む、上記１に記載の糸。
4.  前記メタ系アラミド繊維の結晶化度が２０〜５０％の範囲にある、上記１に記載の糸。
5.  （ａ）結晶化度が少なくとも２０％であるメタ系アラミド繊維を５０〜８０重量％、
（ｂ）モダクリル繊維を１０〜３０重量％、
（ｃ）パラ系アラミド繊維を５〜２０重量％、および
（ｄ）帯電防止繊維を１〜３重量％
から基本的になり、前記百分率が成分（ａ）、（ｂ）、（ｃ）、および（ｄ）を基準とする糸を含む、アークおよび火炎防護に使用するのに適した布帛であって、前記布帛の目付が１８６．５〜２３７グラム毎平方メートル（５．５〜７オンス毎平方ヤード）の範囲にある、布帛。
6.  前記糸が、
（ａ）メタ系アラミド繊維を６５〜７５重量％、
（ｂ）モダクリル繊維を１５〜２５重量％、
（ｃ）パラ系アラミド繊維を５〜１５重量％、および
（ｄ）帯電防止繊維を２〜３重量％
から基本的になる、上記５に記載の布帛。
7.  ＡＳＴＭ  Ｄ−６４１３−９９に準拠する炭化長が６インチ未満である、上記５に記載の布帛。
8.  ＡＳＴＭ  Ｆ−１９５９−９９に準拠する耐アーク性が少なくとも１．１カロリー毎平方センチメートル毎オンス毎平方ヤード布帛である、上記５に記載の布帛。
9.  前記耐アーク性が、少なくとも１．３カロリー毎平方センチメートル毎オンス毎平方ヤード布帛である、上記８に記載の布帛。
10.  前記メタ系アラミド繊維の結晶化度が、２０〜５０％の範囲にある、上記５に記載の布帛。
11.  １０回の洗濯サイクル後の収縮率が５％以下である、上記５に記載の布帛。
12.  （ａ）結晶化度が少なくとも２０％であるメタ系アラミド繊維を５０〜８０重量％、
（ｂ）モダクリル繊維を１０〜３０重量％、
（ｃ）パラ系アラミド繊維を５〜２０重量％、および
（ｄ）帯電防止繊維を１〜３重量％、
から基本的になり、前記百分率が成分（ａ）、（ｂ）、（ｃ）、および（ｄ）を基準とする布帛を含む、アークおよび火炎防護に使用するのに適した衣服であって、
前記布帛の目付が１８６．５〜２３７グラム毎平方メートル（５．５〜７オンス毎平方ヤード）の範囲にある、衣服。
13.  前記布帛が、
（ａ）メタ系アラミド繊維を６５〜７５重量％、
（ｂ）モダクリル繊維を１５〜２５重量％、
（ｃ）パラ系アラミド繊維を５〜１５重量％、および
（ｄ）帯電防止繊維を２〜３重量％
から基本的になる、上記１２に記載の衣服。
14.  ＡＳＴＭ  Ｆ１９３０に準拠する４秒間の火炎暴露による体の火傷が６５％未満に相当する熱防護を提供すると同時に、ＡＳＴＭ  Ｆ１９５９およびＮＦＰＡ  ７０Ｅに準拠するカテゴリー２のアーク等級を維持する、上記１２に記載の衣服。
15.  前記布帛の１０回の洗濯サイクル後の収縮率が５％以下である、上記１２に記載の衣服。